(57)【特許請求の範囲】
【請求項１】
ケース本体前面を開放して形成された展示室内に、スライド支持部を介して前後方向に進退自在にスライド棚を設けたショーケースにおいて、前記スライド棚の前端部にプライスカードレールを回動自在に設けると共に、前記プライスカードレールに連動して回動する係合部材を備え、かつ前記スライド支持部の固定側前端部に前記係合部材と係合する係止部材を備えた係止部を設けたことを特徴とするショーケース。
【請求項２】
プライスカードレールは、連動する係合部材が係止部材との係合位置に復帰回動するよう付勢されていることを特徴とする請求項１記載のショーケース。
【請求項３】
係止部材は、回動自在に設けられていると共に、係合部材との係合位置に復帰回動するよう付勢され係合部材が当たることにより付勢に抗して該係止部材が回動する傾斜部を備えていることを特徴とする請求項１記載のショーケース。
【請求項４】
スライド支持部が、展示室内両側部にそれぞれ配設されていると共に、両方の前記スライド支持部に係止部が設けられ、さらに、スライド支持部は、対向する展示室側壁内面の方向の突出寸法が調節可能で、展示室側壁内面に当接する振れ止め部材を備え、前記振れ止め部材は、スライド支持部に係止部材を回動自在に取着すると共に該スライド支持部を貫通する取着ねじの先端部に螺合されていることを特徴とする請求項１記載のショーケース。
【発明の詳細な説明】
【０００１】
【発明の属する技術分野】
本発明は、展示室内にスライド支持部により前後方向に進退自在となるよう設けられたスライド棚を備えたショーケースに関する。
【０００２】
【従来の技術】
周知の通り、ショーケースには、ケース本体の展示室内にスライドレールを有するスライド支持部に支持された複数段のスライド棚を備え、またスライド棚を棚間隔が可変となるよう配置して構成されたものがある。このような構成ものでは、商品の大きさに応じて棚間隔を適正に調節したスライド棚を展示室内に後退させ、棚上に載置した商品の展示、販売が行われる。そして、販売にともないスライド棚上の商品が不足してくると、商品の先入れ先出の原則のもとに商品の補充が棚後部、すなわち棚の奥の方に行われるが、この時、商品の補充がし易いようスライド棚は前方向に引き出され、補充が終わると展示、販売のために展示室内に押し戻される。
【０００３】
このようなスライド棚を備えたショーケースでは、常時はスライド棚が前方向に飛び出してこないようスライド防止機構を備えており、商品補充のためにスライド棚を前方に引き出す場合には、スライド防止機構のロック機構を片方の手で解除操作しながら他方の手でスライド棚を前方に引き出さなければならなかった。このため、例えばスライド棚を引き出している時に何等かのきっかけで棚上の商品がバランスを崩しても手を添えることができず、商品を落下させてしまう等の虞があった。また、スライド棚を押し戻して通常状態にする場合にも、押し戻しとロック機構のロック操作のために両手が必要になり、同様の虞があった。
【０００４】
さらに、商品展示を効果的なものとするためにケース本体の側壁をガラス板によって構成したものでは、スライド棚の進退操作の際に、棚間隔可変としたスライド支持部のがたつきなどによってスライド棚を円滑に真っ直ぐ進退させることができず、スライド支持部等がガラス板の側壁に打ち当たり、また場合に因っては強く打ち当たったりしてその時の衝撃によりガラス板が破損してしまう虞があった。
【０００５】
【発明が解決しようとする課題】
上記のような状況に鑑みて本発明はなされたもので、片手だけでスライド防止機構の係止操作及び解除操作と、スライド棚の進退操作とを行えるようにすることにより操作等が簡単かつ容易であり、またスライド支持部の横ぶれを制限することでスライド棚の進退が円滑に行えるショーケースを提供することを目的とする。
【０００６】
【課題を解決するための手段】
本発明のショーケースは、ケース本体前面を開放して形成された展示室内に、スライド支持部を介して前後方向に進退自在にスライド棚を設けたショーケースにおいて、スライド棚の前端部にプライスカードレールを回動自在に設けると共に、プライスカードレールに連動して回動する係合部材を備え、かつスライド支持部の固定側前端部に係合部材と係合する係止部材を備えた係止部を設けたことを特徴とするものであり、
さらに、プライスカードレールは、連動する係合部材が係止部材との係合位置に復帰回動するよう付勢されていることを特徴とするものであり、
さらに、係止部材は、回動自在に設けられていると共に、係合部材との係合位置に復帰回動するよう付勢され係合部材が当たることにより付勢に抗して該係止部材が回動する傾斜部を備えていることを特徴とするものであり、
さらに、スライド支持部が、展示室内両側部にそれぞれ配設されていると共に、両方のスライド支持部に係止部が設けられ、さらに、スライド支持部は、対向する展示室側壁内面の方向の突出寸法が調節可能で、展示室側壁内面に当接する振れ止め部材を備え、前記振れ止め部材は、スライド支持部に係止部材を回動自在に取着すると共に該スライド支持部を貫通する取着ねじの先端部に螺合されていることを特徴とするものである。
【０００７】
【発明の実施の形態】
以下、本発明の一実施形態を図１乃至図８を参照して説明する。図１は斜視図であり、図２は要部の縦断面図であり、図３は前方に進出させた状態のスライド支持部及びスライド棚の斜視図であり、図４は棚枠の斜視図であり、図５は係止部の係止状態を示す縦断面図であり、図６は係止部の解除状態を示す縦断面図であり、図７はスライド支持部前端部の分解組み立て斜視図であり、図８は係止部の変形形態を示す縦断面図である。
【０００８】
図１乃至図８において、ショーケース１はケース本体２の上部に前面を開放して横断面略コ字状とし、側壁３をガラス板で形成した展示室４を備え、ケース本体２の下部に冷却装置５を収納した冷却室６を備えて構成されている。冷却装置５は図示しないが冷凍サイクルを形成する圧縮機、冷却器、膨脹弁、凝縮器と、冷却器での熱交換を促進し空気循環を行う循環用送風機、凝縮器での熱交換を促進する排熱用送風機を備えている。
【０００９】
また展示室４には後壁７内に冷却器の下流側に連通する冷気通路と、循環用送風機の下流側に冷却器を介さず連通する保護空気通路と、これら通路の外側に断熱壁を介して凝縮器の下流側に連通する排熱空気通路が上部に排出口を設けて形成されている。さらに冷気通路と保護空気通路とは展示室４の天井８内にも形成されており、両通路は展示室４の上縁に全幅にわたって設けられた図示しない冷気吐出口、空気吐出口にそれぞれ連通している。また、展示室４の下縁には同様に全幅にわたって吸込口９が設けられている。さらにまた冷却室６の前板１０には空気取入口１１が設けられている。
【００１０】
このため、冷却装置５が運転されると循環用送風機によって冷却器を通過した冷気が冷気通路に流れ込むと共に通路内を流れ、また冷却器を通過しなかった空気は保護空気通路に流れ込むと共に通路内を流れ、それぞれ冷気吐出口及び空気吐出口から展示室４の開放された前面をエアカーテンを形成するように吸込口９に向かって下方に流れる。この時、冷気が展示室４内側を流れることで展示室４内が所定温度に冷却される。一方、排熱用送風機により空気取入口１１から取り込まれ凝縮器を通過し温められた空気は排熱空気通路を流れて排出口から外部に放出される。
【００１１】
また、展示室４内にはスライド支持部１２によって複数段のスライド棚１３が前後方向に進退可能に支持されている。スライド棚１３は略方形状の棚枠１４と、棚枠１４上面の前部と後部に配設された例えばアクリル樹脂でなる透明な断面Ｌ字状の転び止め部材１５と、強化ガラス製の透明な棚板１６を備えてなり、また棚枠１４の４辺縁にはそれぞれ棚板１６のずれ落ちなどを防止する立上げ片１７が上方側に折り曲げるようにして設けられている。さらに棚枠１４には左右両側部分に断面形状が略Ｚ字状となるよう下方側に折り曲げてなる取付金具１８が設けられている。
【００１２】
また、スライド棚１３には、棚枠１４の前端部に沿って所要の断面形状に押出し成形されたアルミニウム棒材のプライスカードレール１９が、プライスカード装着面１９ａを前方に向けるようにしてスプリング蝶番２０により回動自在に取着されている。さらにプライスカードレール１９の下端部分には、全長にわたってスライド防止機構である係止部２１を構成する下端に係合部位を有する所定断面形状の係合部材２２が固着されている。そして、プライスカードレール１９と係合部材２２とは、スプリング蝶番２０により図５における矢印Ａ方向に常時付勢されており、プライスカードレール１９を回動させると、これに連動して係合部材２２も同方向に回動するようになっている。
【００１３】
また、スライド棚１３を支持する左右のスライド支持部１２は、棚ブラケット２３とスライドレール２４とが左右対称の構成となるように設けられていて、スライドレール２４は固定側レール２４ａが棚ブラケット２３の内面側に固着されており、可動側レール２４ｂには長手方向に断面Ｌ字状の支持金具２５が固着されている。そして左右の可動側レール２４ｂに固着された支持金具２５間には、棚枠１４が固定されている。棚枠１４の固定は、支持金具２５の水平な支持部２５ａの上面に棚枠１４の左右両側部分に設けられた取付金具１８を載せ、取付金具１８のねじ孔に固定ねじ２６を螺着することにより行われている。なお、支持金具２５に形成された固定孔２７が固定ねじ２６のねじ径より大径であるため、両者の径差分の位置調節が棚枠１４の固定の際に左右のスライドレール２４の進退動作を見ながら行えるようになっている。
【００１４】
さらに、左右の棚ブラケット２３の前端部には、係止部２１を構成する係止部材２８が内面側、また振れ止め部材２９が外面側となるよう取着ねじ３０により取着され、左右対称形状のものとなっている。そして係止部材２８は軸孔３１が形成された厚板状のもので、前側部分に係止爪３２が爪先端を上方に向けるように形成されており、さらに前縁には後方に向けて上り傾斜となる傾斜部３３が形成されている。また係止部材２８には後部に回動規制部３４が設けられており、さらに係止爪３２の根元近傍に引掛小孔３５が形成されている。
【００１５】
一方、棚ブラケット２３の前端部には、取着ねじ孔３６と小孔３７とが形成されており、取着ねじ孔３６には、短円筒状のカラー３８が嵌め込まれ、さらにカラー３８の外側にコイル状のスプリング３９と係止部材２８が遊嵌された取着ねじ３０が、内面側から棚ブラケット２３を貫通するように螺着されている。このように取り付けられることで係止部材２８は、取着ねじ３０、カラー３８を回動軸として軸孔３１によって回動自在となり、またスプリング３９が圧縮されることにより係止部材２８は棚ブラケット２３内面に押し当てられるように付勢される。
【００１６】
さらに、スプリング３９の片方端を棚ブラケット２３の小孔３７に挿入し、外れないよう鉤の手状に形成された他方端を引掛小孔３５に引っ掛けることにより、係止部材２８は図５における矢印Ｂ方向に常時付勢される。なお、係止部材２８は回動規制部３４がスライドレール２４の固定側レール２４ａ前端に当たることで矢印Ｂ方向の回動範囲が規制される。また棚ブラケット２３の外面側に延出した取着ねじ孔３１の先端部分には、保持孔４０内に圧入されたナット４１を螺合させることによってゴム製の円錐台形状を有する振れ止め部材２９が、棚ブラケット２３の外面からの突出寸法を回動させることにより図２に両矢印Ｃで示すように調節可能に取り付けられている。
【００１７】
またさらに、棚ブラケット２３の後端には、下向き鉤の手状の取付片４２が上下に所定間隔で離間して２つ形成されており、また展示室４の後壁７には、両側部に沿ってそれぞれ左右対称位置に上下方向に長方形状の支持孔４３が所定間隔で形成されている。そしてスライド棚１３を支持するスライド支持部１２は、棚ブラケット２３後端の取付片４２を後壁７の左右の対応する支持孔４３に係合させることによって展示室４内に棚板１６面が水平になるように取り付けられる。なお、取付け後、振れ止め部材２９を回動させて棚ブラケット２３の外面からの突出寸法を調節し、左右の振れ止め部材２９の頂部を側壁３の内面に当接させ、棚ブラケット２３が左右方向に振れ動くのを規制する。
【００１８】
このように構成されているので、スライド棚１３が展示室４内に配置されているときには、係止部２１のプライスカードレール１９に固着された係合部材２２が下端の係合部位を、棚ブラケット２３の前端部に取着された係止部材２８の係止爪３２に係合させており、これによってスライド棚１３が前方向に進出してこないようになって、スライド棚１３の不用意なスライドが防止できる。また商品の補充等でスライド棚１３を展示室４内から前方向に引き出すときには、片方の手でプライスカードレール１９をスプリング蝶番２０の付勢力に抗して矢印Ａとは逆方向に、図５に２点鎖線で示すように回動させる。これによって係合部材２２の係合部位と係止部材２８の係止爪３２との係合が解除され、このままの状態、すなわち片方の手でプライスカードレール１９を回動させた状態でスライド棚１３を引き出す。この引き出しによって係合部材２２の係合部位が係止爪３２の爪先端に作用して係止部材２８を矢印Ｂとは逆方向に回動させ、スライド棚１３を片方の手だけで簡単に前方向に大きく引き出すことができる。
【００１９】
一方、前方向に引き出したスライド棚１３を商品の展示、販売のために後方向に押し戻すと、先ず図６に示すように係合部材２２の下端の係合部位が係止部材２８の傾斜部３３に当接する。さらに押し戻すと係合部材２２の係合部位により傾斜部３３が押されて係止部材２８は矢印Ｂとは逆方向に、図６に２点鎖線で示すように回動し、係合部材２２の係合部位が係止部材２８の係止爪３２を乗り越える。そして係止部材２８は、係合部材２２に押されなくなるのでスプリング３９の付勢力により矢印Ｂ方向に回動し、再び係合部材２２の係合部位と係止部材２８の係止爪３２が係合してスライド棚１３は展示室４内に配置される。
【００２０】
以上のように構成されていることから、スライド棚１３を進退させているときに何等かのはずみで商品が転倒しそうになっても、空いている他方の手を添える等することができるので商品を転倒させたり、落下させてしまったりすることが防げる。また、スライド棚１３の進退操作を行った場合に、スライドレール２４の固定側レール２４ａに固着された支持金具２５に形成された固定孔２７が、固定ねじ２６のねじ径より大径であり、径差分の位置調節を行ってスライド棚１３がスライド支持部１２に取り付けられているので、前後方向に真っ直ぐに、かつ円滑に進退させることができる。さらに振れ止め部材２９を回動させて左右の側壁３の内面に当接させているので、棚ブラケット２３が左右方向に振れ動くのが規制され、スライド棚１３の進退操作がより円滑に行えて側壁３のガラス板を破損させてしまう虞がなくなる。
【００２１】
尚、上記の実施形態においては、係止部２１を係止爪３２の爪先端が上向きである係止部材２８を用いて構成したが、これに限るものではなく、例えば図８に示すように構成してもよい。すなわち、係止部５１を係止爪５２の爪先端が下向きの係止部材５３と、これに係合する係合部材５４とを備えたものとし、係止部材５３を棚ブラケット２３の前端部にスプリング５５によって図８における矢印Ｄ方向に付勢されるようにして回動自在に取着する。なお、係止部材５３の前縁に形成した傾斜部５６は後方に向けて下り傾斜となるようにする。また係合部材５４は、スプリング蝶番５７により図８における矢印Ｅ方向に付勢されるようにして回動自在に設けたプライスカードレール５８に固着させて構成する。
【００２２】
このように構成することで、スライド棚１３が展示室内に配置されているときには、係止部５１のプライスカードレール５８に固着された係合部材５４が下端の係合部位を、棚ブラケット２３の前端部に取着された係止部材５３の係止爪５２に係合させており、これによってスライド棚１３が前方向に進出してこないようになっている。またスライド棚１３を展示室内から前方向に引き出すときには、片方の手でプライスカードレール５８をスプリング蝶番５７の付勢力に抗して矢印Ｅとは逆方向に回動させる。これによって係合部材５４の係合部位と係止部材５３の係止爪５２との係合が解除され、このままの状態、すなわち片方の手でプライスカードレール５８を回動させた状態でスライド棚１３を引き出す。この引き出しによって係合部材５４の係合部位が係止爪５２の爪先端に作用して係止部材５３を矢印Ｄとは逆方向に回動させ、スライド棚１３を片方の手だけで簡単に前方向に大きく引き出すことができる。
【００２３】
一方、前方向に引き出したスライド棚１３を後方向に押し戻すと、先ず係合部材５４の下端の係合部位が係止部材５３の傾斜部５６に当接する。さらに押し戻すと係合部材５４の係合部位により傾斜部５６が押されて係止部材５３は矢印Ｄとは逆方向に回動し、係合部材５４の係合部位が係止部材５３の係止爪５２を乗り越える。そして係止部材５３は、係合部材５４に押されなくなるのでスプリング５５の付勢力により矢印Ｄ方向に回動し、再び係合部材５４の係合部位と係止部材５３の係止爪５２が係合してスライド棚１３は展示室内に配置される。
【００２４】
この結果、上記のような変形形態のものでも、上記の実施形態と同様の効果を得ることができる。
【００２５】
【発明の効果】
以上の説明から明らかなように、本発明によれば片手だけでもスライド棚の不用意なスライドを防止するための係止操作及びこれを解除する操作が行え、またスライド棚の進退操作も同時に片手だけで行えて進退操作等の際の取扱いが簡単かつ容易であり、さらにスライド支持部の横ぶれが制限されるのでスライド棚の進退が円滑に行えるなどの効果を奏する。
【図面の簡単な説明】
【図１】本発明の一実施形態を示す斜視図である。
【図２】本発明の一実施形態の要部の縦断面図である。
【図３】本発明の一実施形態における前方に進出させた状態のスライド支持部及びスライド棚の斜視図である。
【図４】本発明の一実施形態における棚枠の斜視図である。
【図５】本発明の一実施形態における係止部の係止状態を示す縦断面図である。
【図６】本発明の一実施形態における係止部の解除状態を示す縦断面図である。
【図７】本発明の一実施形態におけるスライド支持部前端部の分解組み立て斜視図である。
【図８】本発明の一実施形態に係る係止部の変形形態を示す縦断面図である。
【符号の説明】
２…ケース本体
４…展示室
１２…スライド支持部
１３…スライド棚
１９，５８…プライスカードレール
２０，５７…スプリング蝶番
２１…係止部
２２，５４…係合部材
２３…棚ブラケット
２４…スライドレール
２８，５３…係止部材
２９…振れ止め部材
３０…取着ねじ
３２，５２…係止爪
３３，５６…傾斜部
３９，５５…スプリング
【図１】
0004001678.tif 000002
【図２】
0004001678.tif 000003
【図３】
0004001678.tif 000004
【図４】
0004001678.tif 000005
【図５】
0004001678.tif 000006
【図６】
0004001678.tif 000007
【図７】
0004001678.tif 000008
【図８】
0004001678.tif 000009